(57)【要約】【課題】本発明は、内蔵するカメラの背面に配置したＡＥ釦、ＡＦ釦をハウジング本体の外部から簡略操作する水中カメラハウジングのＡＥ釦・ＡＦ釦操作機構を提供する。【解決手段】本発明は、ＡＥ釦３１、ＡＦ釦３２を備えるカメラ３０をハウジング本体２１に内蔵した状態で、ＡＥ釦３１、ＡＦ釦３２をハウジング本体２１の外部から操作する水中カメラハウジング２０のＡＥ釦・ＡＦ釦操作機構１であって、ハウジング本体２１に固定配置した保持筒部２により第１の位置と第２の位置とにわたってスライド可能に、かつ、中心の回りに回動可能に支持された操作レバー５及び操作軸６と、操作レバー５及び操作軸６を第１の位置側に付勢するバネ８と、この操作軸６の突出端部に連結されハウジング本体２１内のカメラ３０のＡＥ釦３１又はＡＦ釦３２に接触又は接近する状態に配置した釦操作体１０とを具備するものである。【選択図】図１
2009157172.tif 000002
【特許請求の範囲】
【請求項１】
ＡＥ釦・ＡＦ釦を備えるカメラをハウジング本体に内蔵した状態で、前記ＡＥ釦・ＡＦ釦をハウジング本体の外部から操作する水中カメラハウジングのＡＥ釦・ＡＦ釦操作機構であって、
ハウジング本体に固定配置した保持筒部により第１の位置と第２の位置とにわたってスライド可能に、かつ、中心の回りに回動可能に支持された操作レバー及び操作軸と、
この操作軸の突出端部に連結されハウジング本体内のカメラのＡＥ釦又はＡＦ釦に接触又は接近する状態に配置した釦操作体と、を具備し、
前記操作レバーの第１の位置、第２の位置の各回動操作によって前記釦操作体を介してＡＥ釦又はＡＦ釦を選択的に操作するように構成したことを特徴とする水中カメラハウジングのＡＥ釦・ＡＦ釦操作機構。
【請求項２】
ＡＥ釦・ＡＦ釦を備えるカメラをハウジング本体に内蔵した状態で、前記ＡＥ釦・ＡＦ釦をハウジング本体の外部から操作する水中カメラハウジングのＡＥ釦・ＡＦ釦操作機構であって、
ハウジング本体に固定配置した保持筒部により第１の位置と第２の位置とにわたってスライド可能に、かつ、中心の回りに回動可能に支持された操作レバー及び操作軸と、
この操作軸の突出端部に連結されハウジング本体内のカメラのＡＥ釦又はＡＦ釦に接触又は接近する状態に配置した釦操作体と、を具備し、
前記操作レバーの第１の位置にての回動操作によって釦操作体によりＡＥ釦を操作し、前記操作レバーの第２の位置にての回動操作によって釦操作体によりＡＦ釦を操作するように構成したことを特徴とする水中カメラハウジングのＡＥ釦・ＡＦ釦操作機構。
【請求項３】
ＡＥ釦・ＡＦ釦を備えるカメラをハウジング本体に内蔵した状態で、前記ＡＥ釦・ＡＦ釦をハウジング本体の外部から操作する水中カメラハウジングのＡＥ釦・ＡＦ釦操作機構であって、
ハウジング本体に固定配置した保持筒部により第１の位置と第２の位置とにわたってスライド可能に、かつ、中心の回りに回動可能に支持された操作レバー及び操作軸と、
前記操作レバー及び操作軸を第１の位置側に付勢する付勢部材と、
この操作軸の突出端部に連結されハウジング本体内のカメラのＡＥ釦又はＡＦ釦に接触又は接近する状態に配置した釦操作体と、を具備し、
前記操作レバーの第１の位置にての回動操作によって釦操作体によりＡＥ釦を操作し、前記操作レバーの付勢部材の付勢力に抗する第２の位置にての回動操作によって釦操作体によりＡＦ釦を操作するように構成したことを特徴とする水中カメラハウジングのＡＥ釦・ＡＦ釦操作機構。
【発明の詳細な説明】
【技術分野】
【０００１】
本発明は、水中カメラハウジングのＡＥ釦・ＡＦ釦操作機構に関するものである。
【背景技術】
【０００２】
水中カメラハウジング内にデジタルカメラ等のカメラを内蔵し、水中にて水中植物、魚類等のような被写体の撮影を行う際には、内蔵するカメラの例えば背面に配置したＡＥ釦（露出ロック釦）・ＡＦ釦（焦点位置ロック釦）を水中カメラハウジングの外部から操作することが必要となるが、従来においては、かかる操作を簡略に行い得る機構は見当たらない。
【０００３】
ここに、ＡＥ釦は、露出ロック（ＡＥロック）状態をオン／オフ切り替えるるための釦であり、また、ＡＦ釦は、カメラ自体の駆動ユニットによるレンズ駆動を禁止し、焦点位置を固定したり、その解除を行うための釦である。
【０００４】
特許文献１には、ハウジング本体の両サイドにグリップを取り付け、このグリップに操作ボタンを設けてハウジング本体内のカメラの操作を行なうようにした水中カメラ収容ハウジングが提案されている。
【０００５】
しかし、この特許文献１の水中カメラ収容ハウジングの場合も、内蔵カメラのＡＥ釦、ＡＦ釦を簡略に操作し得えるように構成したものではない。
【特許文献１】特開２００２−１２２９２９号公報
【発明の開示】
【発明が解決しようとする課題】
【０００６】
本発明が解決しようとする問題点は、内蔵するカメラの例えば背面に配置したＡＥ釦、ＡＦ釦を水中カメラハウジングの外部から簡略操作するような機構が存在しない点である。
【課題を解決するための手段】
【０００７】
本発明は、ＡＥ釦・ＡＦ釦を備えるカメラをハウジング本体に内蔵した状態で、前記ＡＥ釦・ＡＦ釦をハウジング本体の外部から操作する水中カメラハウジングのＡＥ釦・ＡＦ釦操作機構であって、ハウジング本体に固定配置した保持筒部により第１の位置と第２の位置とにわたってスライド可能に、かつ、中心の回りに回動可能に支持された操作レバー及び操作軸と、この操作軸の突出端部に連結されハウジング本体内のカメラのＡＥ釦又はＡＦ釦に接触又は接近する状態に配置した釦操作体とを具備し、前記操作レバーの第１の位置、第２の位置の各回動操作によって前記釦操作体を介してＡＥ釦又はＡＦ釦を選択的に操作するように構成したことを最も主要な特徴とする。
【発明の効果】
【０００８】
請求項１記載の発明によれば、保持筒部により第１の位置と第２の位置とにわたってスライド可能に、かつ、中心の回りに回動可能に支持された操作レバー及び操作軸と、この操作軸の突出端部に連結されハウジング本体内のカメラのＡＥ釦又はＡＦ釦に接触又は接近する状態に配置した釦操作体とを有する構成で、ハウジング本体の外部から指による簡略操作によってＡＥ釦、ＡＦ釦を選択的に操作することができる操作性の良好な水中カメラハウジングのＡＥ釦・ＡＦ釦操作機構を提供することができる。
【０００９】
請求項２記載の発明によれば、保持筒部により第１の位置と第２の位置とにわたってスライド可能に、かつ、中心の回りに回動可能に支持された操作レバー及び操作軸と、この操作軸の突出端部に連結されハウジング本体内のカメラのＡＥ釦又はＡＦ釦に接触又は接近する状態に配置した釦操作体とを有する構成で、ハウジング本体の外部から指による簡略操作によって第１の位置でＡＥ釦を、第２の位置でＡＦ釦を操作することができる操作性の良好な水中カメラハウジングのＡＥ釦・ＡＦ釦操作機構を提供することができる。
【００１０】
請求項３記載の発明によれば、請求項２記載の発明にさらに付勢部材を付加した構成で、請求項２記載の発明と同様、ハウジング本体の外部から指による簡略操作によって第１の位置でＡＥ釦を、第２の位置でＡＦ釦を操作することができる操作性の良好な水中カメラハウジングのＡＥ釦・ＡＦ釦操作機構を提供することができる。
【発明を実施するための最良の形態】
【００１１】
本発明は、内蔵するカメラの例えば背面に配置したＡＥ釦、ＡＦ釦をハウジング本体の外部から簡略操作する水中カメラハウジングのＡＥ釦・ＡＦ釦操作機構を提供することを目的とする。
【００１２】
本発明は、ＡＥ釦・ＡＦ釦を備えるカメラをハウジング本体に内蔵した状態で、前記ＡＥ釦・ＡＦ釦をハウジング本体の外部から操作する水中カメラハウジングのＡＥ釦・ＡＦ釦操作機構であって、ハウジング本体に固定配置した保持筒部により第１の位置と第２の位置とにわたってスライド可能に、かつ、中心の回りに回動可能に支持された操作レバー及び操作軸と、前記操作レバー及び操作軸を第１の位置側に付勢する付勢部材と、この操作軸の突出端部に連結されハウジング本体内のカメラのＡＥ釦又はＡＦ釦に接触又は接近する状態に配置した釦操作体と、を具備し、前記操作レバーの第１の位置にての回動操作によって釦操作体によりＡＥ釦を操作し、前記操作レバーの付勢部材の付勢力に抗する第２の位置にての回動操作によって釦操作体によりＡＦ釦を操作する構成により上記目的を実現した。
【実施例】
【００１３】
以下に、本発明の実施例に係る水中カメラハウジングのＡＥ釦・ＡＦ釦操作機構について図１乃至図３を参照して詳細に説明する。
【００１４】
本実施例に係る水中カメラハウジング２０のＡＥ釦・ＡＦ釦操作機構１は、図１、図２に示すように、水中カメラハウジング２０を構成する箱型状のハウジング本体２１内に水密構造で内蔵するデジタルカメラ等のカメラ３０の背面右側上部に設けたＡＥ釦３１、ＡＦ釦３２をハウジング本体２１外からレバー操作により切り替えて操作するように構成している。
【００１５】
すなわち、本実施例に係るＡＥ釦・ＡＦ釦操作機構１は、段付円筒状の保持筒部２と、保持筒部２をハウジング本体２１の上面に固定する分離配置の第１支持部材３及び第２支持部材４と、この保持筒部４に対して図２、図３に示すように矢印ａ，ｂ方向にスライド可能に、かつ、中心の回りに回動可能に装着した操作レバー５と、この操作レバー５に対して基端側を連結し、突出端側を保持筒部４内を経てハウジング本体２１の上面と平行になるように延在した操作軸６と、この操作軸６の突出端部に一体に取り付けた環状体７と、前記操作軸６に外周に嵌装するとともに、前記第２支持部材と環状体との間に配置され、前記操作レバー５及び操作軸６を矢印ａ方向に付勢する付勢部材であるバネ（例えばコイルバネ）８と、前記環状体７に上端を連結し、下端側を前記ハウジング本体２１の上面を形成する肉厚部分を貫いてハウジング本体２１内に臨ませた連結片９と、この連結片９の下端に取り付けられ前記ＡＥ釦３１又はＡＦ釦３２に接触又は接近する釦操作体１０とを有している。
【００１６】
前記操作レバー５及び操作軸６は、前記保持筒部２により支持され、カメラマンの指の操作にて、図１に示す釦操作体１０がＡＥ釦３１に接触する第１の位置と、図３に示す釦操作体１０がＡＦ釦３２に接触する第２の位置とにわたってスライド変位するように構成している。
【００１７】
前記操作レバー５及び操作軸６を第２の位置の位置に変位させるときには、前記バネ８の付勢力に抗しつつ操作レバー５及び操作軸６を矢印ｂ方向に移動させるものである。
【００１８】
また、前記操作レバー５及び操作軸６を第２の位置の位置に変位させた状態でこれらをその位置に係止する係止機構を保持筒部２に付加する構成としてもよい。
【００１９】
前記連結片９がハウジング本体２１の肉厚部分を貫ぬく箇所は、パッキング等により水密構造とされ、ハウジング本体２１内への水の侵入を阻止するようになっている。
【００２０】
尚、前記ハウジング本体２１、カメラ３０は、上述したものの他種々の構成要素を含むが本実施例においてはその説明を省略する。
【００２１】
次に、本実施例に係るＡＥ釦・ＡＦ釦操作機構１の動作を説明する。
このＡＥ釦・ＡＦ釦操作機構１において、前記操作レバー５を前記バネ８の付勢力を利用して図１、図２に示す第１の位置を占める状態としたときには、前記釦操作体１０がＡＥ釦３１に接触し、カメラマンはこの状態で前記操作レバー５を指で図２に示す矢印方向に回動させることで、前記釦操作体１０により露出ロック状態をオン／オフ切り替えするＡＥ釦３１を押圧操作することができる。
【００２２】
また、前記操作レバー５を指で図３に示すように前記バネ８の付勢力に抗して第２の位置に移動させると、前記釦操作体１０がＡＦ釦３２に接触し、カメラマンはこの状態で前記操作レバー５を指で図３に示す矢印方向に回動させることで、前記釦操作体１０によりカメラ３０の焦点位置を固定したり、その解除を行うＡＦ釦３２を押圧操作することができる。
【００２３】
このようにして、本実施例のＡＥ釦・ＡＦ釦操作機構１によれば、内蔵するカメラ３０の背面に配置したＡＥ釦３１、ＡＦ釦３２を水中カメラハウジング２０の外部から指による簡略操作にて選択的に操作し、水中撮影時のカメラ３０の撮影条件を適切に設定することができる。
【００２４】
尚、上述したＡＥ釦３１、ＡＦ釦３２の位置関係は一例であり、ＡＥ釦３１、ＡＦ釦３２を上述した場合とは逆にしても上述した場合と同様な作用、効果を発揮させることができる。
【産業上の利用可能性】
【００２５】
本発明に係る水中カメラハウジングのＡＥ釦・ＡＦ釦操作機構は、デジタルカメラ、スチールカメラ、ビデオカメラ等を問わず、ハウジング本体内に内蔵するＡＥ釦・ＡＦ釦を有するカメラに関して広範に適用可能である。
【図面の簡単な説明】
【００２６】
【図１】本発明の実施例に係る水中カメラハウジングのＡＥ釦・ＡＦ釦操作機構を含む水中カメラハウジングを示す部分切欠斜視図である。
【図２】本実施例に係る水中カメラハウジングのＡＥ釦・ＡＦ釦操作機構の操作レバーを第１の位置とした状態を示す部分切欠背面図である。
【図３】本実施例に係る水中カメラハウジングのＡＥ釦・ＡＦ釦操作機構の操作レバーを第２の位置とした状態を示す部分切欠背面図である。
【符号の説明】
【００２７】
１    ＡＥ釦・ＡＦ釦操作機構
２    保持筒部
３    第１支持部材
４    第２支持部材
４    保持筒部
５    操作レバー
６    操作軸
７    環状体
８    バネ
９    連結片
１０    釦操作体
２０    水中カメラハウジング
２１    ハウジング本体
３０    カメラ
３１    ＡＥ釦
３２    ＡＦ釦
【図１】
2009157172.tif 000003
【図２】
2009157172.tif 000004
【図３】
2009157172.tif 000005